(57)【要約】【課題】情報再生時において読取データの同期動作を乱すことなく、書込済データとこれに後続して追記されたデータとを円滑に連続再生することをその目的とする。【解決手段】新データを記録媒体に書き込むための書込用クロック信号を生成する書込用クロック生成手段と、記録媒体から書込済データを読み取って、再生クロック信号を生成するクロック再生手段と、書込済データの第２シンクフレーム４２Ｓの同期信号ＳＹを検出する検出手段と、同期信号ＳＹの検出タイミングに応答して、再生クロック信号ＲＣＫの計数動作を開始する計数手段と、計数手段による計数値が旧ダミーデータの８６バイト分に相当する値になったか否かを見て、新データの前記記録媒体への書込開始時点を定める制御手段と、からなる。【選択図】　図７
2004047087.tif 000002
【特許請求の範囲】
【請求項１】
記録媒体に記録された書込済データの末尾に、新データを追加記録することの可能な情報記録装置であって、
前記新データを前記記録媒体に書き込むための書込用クロック信号を生成する書込用クロック生成手段と、
前記記録媒体から前記書込済データを読み取って、再生クロック信号を生成するクロック再生手段と、
前記書込済データに含まれる同期信号を検出する検出手段と、
前記同期信号の検出タイミングに応答して、前記再生クロック信号に基づく計数動作を開始する計数手段と、
前記計数手段による計数値に基づいて前記新データの前記記録媒体への書込開始時点を定める制御手段と、
を有することを特徴とする情報記録装置。
【請求項２】
前記同期信号は、前記書込済データのデータブロック毎に配されていることを特徴とする請求項１記載の情報記録装置。
【請求項３】
前記データブロックは、シンクフレームであることを特徴とする請求項２記載の情報記録装置。
【請求項４】
記録媒体に記録された書込済データの末尾に、新データを追加記録することの可能な情報記録装置であって、
前記新データを前記記録媒体に書き込むための書込用クロック信号を生成する書込用クロック生成手段と、
前記記録媒体から前記書込済データを読み取って、再生クロック信号を生成するクロック再生手段と、
前記書込済データの最後のデータブロックを検出する検出手段と、
前記検出手段による前記最後のデータブロックの検出に応答して、前記再生クロック信号に基づく計数動作を開始する計数手段と、
前記計数手段による計数値に基づいて前記新データの前記記録媒体への書込開始時点を定める制御手段と、
を有することを特徴とする情報記録装置。
【請求項５】
前記検出手段は、前記書込済データの番地情報と同期信号とに基づいて、前記最後のデータブロックを検出することを特徴とする請求項４記載の情報記録装置。
【請求項６】
前記同期信号は、前記書込済データのデータブロック毎に配されていることを特徴とする請求項５記載の情報記録装置。
【請求項７】
前記データブロックは、シンクフレームであることを特徴とする請求項６記載の情報記録装置。
【請求項８】
記録媒体に記録された書込済データの末尾に、新データを追加記録する情報記録方法であって、
前記新データを前記記録媒体に書き込むための書込用クロック信号を生成する工程と、
前記記録媒体から前記書込済データを読み取って、再生クロック信号を生成する工程と、
前記書込済データに含まれる同期信号を検出する工程と、
前記前記同期信号の検出タイミングに応答して、前記再生クロック信号に基づく計数動作を開始する計数工程と、
前記計数工程による計数値に基づいて前記新データの前記記録媒体への書込開始時点を定める工程と、
を有することを特徴とする情報記録方法。
【請求項９】
記録媒体に記録された書込済データの末尾に、新データを追加記録する情報記録方法であって、
前記新データを前記記録媒体に書き込むための書込用クロック信号を生成する工程と、
前記記録媒体から前記書込済データを読み取って、再生クロック信号を生成する工程と、
前記書込済データの最後のデータブロックを検出する工程と、
前記最後のデータブロックの検出に応答して、前記再生クロック信号に基づく計数動作を開始する計数工程と、
前記計数工程による計数値に基づいて前記新データの前記記録媒体への書込開始時点を定める制御手段と、
を有することを特徴とする情報記録方法。
【発明の詳細な説明】
【０００１】
【発明の属する技術分野】本発明は、情報記録装置に関し、特に、同一箇所に一度だけ情報を書き込めるライトワンス（ＷＯ：Ｗｒｉｔｅ　Ｏｎｃｅ　）型や同一箇所に何度も情報を書き直せるリライタブル（ＲＷ：Ｒｅｗｒｉｔａｂｌｅ）型の光ディスクの如き追加記録可能な記録媒体に情報を記録する情報記録装置および情報記録方法に関する。
【０００２】
【従来の技術】この種の情報記録装置において、追加記録可能ディスクに情報データを書き込む場合、書き込むべき情報データに同期化を施しつつその情報データを書き込むための書込用クロック信号を生成する。換言すれば、生成した安定な所定周波数の書込用クロック信号に同期（例えば、いわゆるビット同期）をとりつつ情報データをディスクに書き込むのが通常である。この書込用クロック信号は、一般には、単独で発振出力可能な例えば水晶発振器等の基準クロック発生器から発生される。
【０００３】しかしながら、既に情報データが一部または部分的に書き込まれているディスクに対して、その書込済みの情報データに引き続いて新たな情報データを書き込む追記または追加記録をなす場合、書込済みの情報データに使われた書込用クロック信号と新たな情報データに用いられる書込用クロック信号との間で位相の違いが生ずる可能性がある。
【０００４】この場合、新データ記録後に得られるディスクを読み取って、かかる前後の情報データを連続再生する動作において、当該前後の情報データの結合部近傍では当該ディスクの読取データの同期用クロック信号を再生するのにしばしば困難となることがある。特に、或る１つの情報記録装置により情報データの書き込まれたディスクに対して、他の情報記録装置により追記を行った場合などは、これら情報記録装置が同種のものであったとしても、別個の発生源から各記録時において書込用クロック信号が生成されることとなり、位相のみならず周波数の異なる書込用クロック信号にて先行情報データとその後続情報データとが書き込まれてしまうことを否定できない。
【０００５】読取データの同期用クロック信号の再生には、読取信号を入力とするＰＬＬ（Ｐｈａｓｅ　Ｌｏｃｋｅｄ　Ｌｏｏｐ）回路が用いられるが、位相や周波数において大差のある書込用クロック信号にて先行及び後続の情報データが記録されたディスクは、かかる先行データと後続データとの結合部近傍においてＰＬＬ回路の同期動作を大きく乱すこととなる。その結果、読取データの同期用クロック信号に基づいて読取データの復号処理を行うデコーダは、読取データ中の種々のデータを誤検出してしまうこともある。
【０００６】また、ディスクに書き込まれるデータは、上述したようなビット同期の他に、所定の情報量を担うデータブロック毎に特定の同期信号が配されるフォーマットを採って再生時の当該データブロックについての同期化がなされるようにされているが、このような特定同期信号にしても、書込用クロック信号に基づいてデータに配置される。従って、上述の如くして生ずる位相や周波数において大差のある書込クロック信号により、先行情報データに最後に配された特定同期信号と後続情報データに最初に配された特定同期信号との間隔が、それより前及び後の間隔に対して大きく相違してしまうこととなり、再生時における特定同期信号の検出不能や誤検出を招きかねない。特に、かかる特定同期信号の検出能力の低いプレーヤにおいては深刻な問題である。
【０００７】
【発明が解決しようとする課題】よって本発明は、こうした問題に鑑みてなされたものであり、その目的とするところは、情報再生時において読取データの同期動作を乱すことなく書込済データとこれに後続して追記されたデータとを円滑に連続再生することを可能とする記録媒体への記録形態を採ることのできる情報記録装置を提供することにある。
【０００８】
【課題を解決するための手段】上記目的を達成するために、請求項１記載の本発明は、記録媒体に記録された書込済データの末尾に、新データを追加記録することの可能な情報記録装置であって、前記新データを前記記録媒体に書き込むための書込用クロック信号を生成する書込用クロック生成手段と、前記記録媒体から前記書込済データを読み取って、再生クロック信号を生成するクロック再生手段と、前記書込済データに含まれる同期信号を検出する検出手段と、前記同期信号の検出タイミングに応答して、前記再生クロック信号に基づく計数動作を開始する計数手段と、前記計数手段による計数値に基づいて前記新データの前記記録媒体への書込開始時点を定める制御手段と、を有することを特徴としている。
【０００９】上記目的を達成するために、請求項４記載の本発明は、記録媒体に記録された書込済データの末尾に、新データを追加記録することの可能な情報記録装置であって、前記新データを前記記録媒体に書き込むための書込用クロック信号を生成する書込用クロック生成手段と、前記記録媒体から前記書込済データを読み取って、再生クロック信号を生成するクロック再生手段と、前記書込済データの最後のデータブロックを検出する検出手段と、前記検出手段による前記最後のデータブロックの検出に応答して、前記再生クロック信号に基づく計数動作を開始する計数手段と、前記計数手段による計数値に基づいて前記新データの前記記録媒体への書込開始時点を定める制御手段と、を有することを特徴とする。
【００１０】上記目的を達成するために、請求項８記載の本発明は、記録媒体に記録された書込済データの末尾に、新データを追加記録する情報記録方法であって、前記新データを前記記録媒体に書き込むための書込用クロック信号を生成する工程と、前記記録媒体から前記書込済データを読み取って、再生クロック信号を生成する工程と、前記書込済データに含まれる同期信号を検出する工程と、前記前記同期信号の検出タイミングに応答して、前記再生クロック信号に基づく計数動作を開始する計数工程と、前記計数工程による計数値に基づいて前記新データの前記記録媒体への書込開始時点を定める工程と、を有することを特徴とする。
【００１１】上記目的を達成するために、請求項９記載の本発明は、記録媒体に記録された書込済データの末尾に、新データを追加記録する情報記録方法であって、前記新データを前記記録媒体に書き込むための書込用クロック信号を生成する工程と、前記記録媒体から前記書込済データを読み取って、再生クロック信号を生成する工程と、前記書込済データの最後のデータブロックを検出する工程と、前記最後のデータブロックの検出に応答して、前記再生クロック信号に基づく計数動作を開始する計数工程と、前記計数工程による計数値に基づいて前記新データの前記記録媒体への書込開始時点を定める制御手段と、を有することを特徴とする。
【００１２】
【発明の実施の形態】以下、本発明の実施例を図面を参照しつつ詳細に説明する。先ず、追加記録可能な記録媒体の１つとしてのＤＶＤ−Ｒ（Ｄｉｇｉｔａｌ　Ｖｉｄｅｏ　Ｄｉｓｃ−Ｒｅｃｏｒｄａｂｌｅ　）に情報を書き込む際の一般的な物理フォーマットについて、図１ないし図３を用いて説明する。
【００１３】ＤＶＤ−Ｒに対して行われる誤り訂正処理は、ＥＣＣ（Ｅｒｒｏｒ　Ｃｏｒｒｅｃｔｉｏｎ　ｃｏｄｅ）ブロックをその誤り単位として行われる。かかるＥＣＣブロックは、図１に示されるデータセクタを基にして形成される。ＤＶＤ−Ｒに記録される原情報は、図１の如きデータセクタ２０を複数個含む物理構造を成して構成される。１つのデータセクタ２０は、その先頭から、データセクタ２０の開始位置を示すＩＤ情報２１と、当該ＩＤ情報２１の誤りを訂正するためのＩＤ情報誤り訂正コード（ＩＥＣ：ＩＤ　Ｄａｔａ　Ｅｒｒｏｒ　ｃｏｒｒｅｃｔｉｏｎ　Ｃｏｄｅ）２２と、予備データ２３と、映像や音声またはコンピュータデータ等の当該ディスクに本来記録すべき主たる情報を担うデータ２４と、データ２４におけるエラーを検出するためのエラー検出コード（ＥＤＣ：Ｅｒｒｏｒ　Ｄｅｔｅｃｔｉｏｎ　Ｃｏｄｅ）２５とが順に配されたブロックデータにより構成される。ＤＶＤ−Ｒにおいては、このデータセクタ２０が複数連続することにより記録すべき原情報が構成される。
【００１４】このようなデータセクタ２０は、図２のようにしてＥＣＣブロックの構築に使用される。初めに、図２（Ａ）に示されるように、１つのデータセクタ２０を１７２バイト毎に分割し、分割されたデータ（以下、これをデータブロック３３と称する）をそれぞれ垂直方向に並べる。そうすると、垂直方向には１２行のデータブロック３３が並ぶこととなる。
【００１５】次いで、図２（Ｂ）に示されるように、各データブロック３３に対してそれぞれ１０バイトのＥＣＣ内符号（ＰＩ（Ｐａｒｉｔｙ　Ｉｎ）符号）３１を割り当てる。ＥＣＣ内符号３１が、当該データブロック３３の末尾に付加されることにより、１つの訂正ブロック３４が構成される。この段階では、ＥＣＣ内符号３１を含む訂正ブロック３４が垂直方向に１２行並べられることとなる。そして、このようなＥＣＣ内符号３１の付加処理は、データセクタ２０の１６個分繰り返される。これにより、１９２行の訂正ブロック３４が得られる。
【００１６】図２（Ｂ）においてはさらに、上述した如き１９２行の訂正ブロック３４が垂直方向に並べられて形成されるブロックデータに対して、今度は垂直方向に１バイト毎に分割し、分割されたデータに対して１６個のＥＣＣ外符号（ＰＯ（Ｐａｒｉｔｙ　Ｏｕｔ）符号）３２を付加する。なお、ＥＣＣ外符号３２は、上記訂正ブロック３４のうち、ＥＣＣ内符号３１の部分に対しても付加される。
【００１７】かくして、１６個のデータセクタ２０を含む１つのＥＣＣブロック３０が形成される。なお、以上の説明から分かるように、１つのＥＣＣブロック３０が担う総情報量は、（１７２＋１０）バイト×（１９２＋１６）行＝３７８５６バイトであり、このうち、情報データ２４は、２０４８バイト×１６＝３２７６８バイトとなる。
【００１８】また、図２（Ｂ）においては、ＥＣＣブロック３０を構成する各１バイトのデータに「Ｄ＃．＊」なる採番を施している。例えば、「Ｄ１．０」は第１行第０列に配置されている１バイトのデータを示しており、「Ｄ１９０．１７０」は第１９０行第１７０列に配置されている１バイトのデータを示している。従って、ＥＣＣ内符号３１は、第１７２列ないし１８１列に配置され、ＥＣＣ外符号３２は第１９２行ないし第２０７行に配置されることとなる。
【００１９】さらに、１つの訂正ブロック３４は、ＤＶＤ−Ｒ上には連続して記録されるので、当該ブロック全体のエラーが発生する可能性がある。しかし、図２（Ｂ）に示すように、ＥＣＣブロック３０は、ＥＣＣ内符号３１とＥＣＣ外符号３２との双方を含むように構成されるので、図２（Ｂ）において水平方向に並んでいるデータの訂正をＥＣＣ内符号３１で行い、図２（Ｂ）において垂直方向に並んでいるデータの訂正をＥＣＣ外符号３２で行うことができる。これにより、図２（Ｂ）に示すＥＣＣブロック３０内においては、水平及び垂直方向における二重の誤り訂正を行うことが可能となり、従来のＣＤ（Ｃｏｍｐａｃｔ　Ｄｉｓｋ）等に用いられている誤り訂正処理に比してより強力に誤り訂正ができる。
【００２０】この点につき詳述すると、例えば、１つの訂正ブロック３４（上述のように、１行分のＥＣＣ内符号３１を含んで計１８２バイトのデータを含み、連続してＤＶＤ−Ｒ上に記録される。）が、全てＤＶＤ−Ｒの外傷等により破壊されたとしても、それを垂直方向から見ると、１列のＥＣＣ外符号３２に対して１バイトのデータ破壊でしかない。従って、各列に対応するＥＣＣ外符号３２を用いて誤り訂正を行えば、たとえ１つの訂正ブロック３４の全てが破壊されていても、誤り訂正を行って正確に再生することができるのである。
【００２１】かかるＥＣＣブロック３０のＤＶＤ−Ｒに対する具体的記録形態は、図３に示される。なお、図３において、「Ｄ＃．＊」にて採番された１バイトデータは、図２（Ｂ）において同じく採番されたものと同一である。ＥＣＣブロック３０は、先ず、図３の最上段に示されるように、訂正ブロック３４毎に水平方向に一列に並べられてインターリーブされる。これにより、図３の２段目に示されるように、１６個のレコーディングセクタ４０に変換される。かかる変換においては、１つのレコーディングセクタ４０は、２３６６バイト（３７８５６バイト÷１６）の情報を含むこととなり、この中には、データセクタ２０、ＥＣＣ内符号３１又はＥＣＣ外符号３２が混在している。但し、各レコーディングセクタ４０の先頭には、データセクタ２０におけるＩＤ情報２１（図１参照）が配置される。
【００２２】この１つのレコーディングセクタ４０は、図３の３段目に示されるように、９１バイト毎のデータ４１に分割され、夫々にヘッダＨが付加される。その後、このヘッダ付加状態のレコーディングセクタ４０は、８−１６変調され、図３の最下段に示されるように、データ４１及びそのヘッダ毎にシンクフレーム４２に変換される。変換後は、１つのシンクフレーム４２は、ヘッダＨ’とデータ４３とにより構成されることとなる。また、１つのシンクフレーム４２の情報量は、９１バイト×８×（１６／８）＝１４５６チャネルビット（但し、シンク情報を含めると１４８８チャネルビット）となり、このシンクフレーム４２が連続した形態でＤＶＤ−Ｒに書き込まれる。このとき、１つのレコーディングセクタ４０は、２６個のシンクフレーム４２を含むこととなる。
【００２３】以上説明した物理フォーマットに従ってＤＶＤ−Ｒに情報を記録することにより、当該情報を再生する際に８−１６復調及びデインターリーブを行えば（図３参照）、元のＥＣＣブロック３０を復元することが出来、上述したような強力な誤り訂正を行って情報を正確に再生することができる。かくして、ＤＶＤ−Ｒには、図３の最下段に示されるようなシンクフレーム系列の形態で情報が記録されるが、その記録は、ＤＶＤ−Ｒにおいては予め定められたトラックにおいてなされる。
【００２４】図４は、かかる情報の記録箇所を担うトラックを含むＤＶＤ−Ｒの記録層の構造を示している。図４において、ＤＶＤ−Ｒ１は、色素膜５が成膜され上記シンクフレーム系列の情報の書込可能なグルーブトラック２と、グルーブトラック２に隣接しかつグルーブトラック２に読取光または書込（記録）光としてのレーザービームＢを誘導させるためのランドトラック３とが形成されている。グルーブトラック２は、レーザービームＢの発生源側から見て凹状にして、ランドトラック３は、同発生源側から見て凸状にして、ビームＢを反射するための光反射面としての金蒸着面６を担持するよう形成されている。
【００２５】グルーブトラック２は、当該ディスクの平坦面に平行な方向に所定の周波数（例えば当該ディスクの適正回転速度に対応する周波数）で波状にうねる、いわゆるウォブリングが施されている。かかるウォブリングを用いることにより、情報読取時には、当該ディスクの回転制御を行うことが可能である。ランドトラック３には、ＤＶＤ−Ｒ１の記録位置を示すアドレス情報や記録タイミングを制御するためのタイミング制御情報等の記録制御情報を担うプリピット４が形成される。
【００２６】かかるグルーブトラック２及びランドトラック３はもとより、上記ウォブリングやプリピット４は、ＤＶＤ−Ｒ１の作製時に予め形成される。付言すれば、ウォブリングやプリピット４は、初めての情報を書き込む前に既に形成（記録）されている既成記録情報を担うものである。このような構造を有するＤＶＤ−Ｒ１の情報記録時には、光ビームＢの中心がグルーブトラック２の中心と一致するように光ビームＢがＤＶＤ−Ｒ１に照射され、グルーブトラック２に上記シンクフレーム系列に対応するピットが形成される。このとき、光ビームＢのスポットＳＰの大きさは、図４に示されるように、当該スポットの一部がランドトラック３にも照射されるように設定される。また、このランドトラック３に照射された光スポットＳＰの一部の反射光を用いてプッシュプル法によりプリピット４が検出されそのプリピットが示す当該ディスク固有の既成記録情報が取得される。さらに、グルーブトラック２に照射されている光スポットＳＰの反射光を用いてグルーブトラック２のウォブリングに応じたウォブル信号を検出し、このウォブル信号に基づいたＤＶＤ−Ｒ１の回転制御が行われる。
【００２７】グルーブトラック２とこれに書き込まれるシンクフレーム系列のデータ並びにランドトラック３に形成されるプリピット（以下、ＬＰＰ（Ｌａｎｄ　ＰｒｅＰｉｔ）と称する）４は、図５の如き対応関係とされる。図５に示されるように、グルーブトラック２には、その中心線に沿って記録情報であるシンクフレーム系列のデータが記録される。かかる記録に際しては、グルーブトラック２が呈する８つのウォブリング周期につき１つのシンクフレームが記録されるよう制御される。ウォブリング周波数は、全てのシンクフレームに亘り１４０ｋＨｚ（適正読取レート換算値）一定とされる。
【００２８】シンクフレームの先頭には、先の図３において説明したように、ヘッダＨ′が配されており、そのヘッダには同期信号ＳＹが先端に割り当てられている。この同期信号ＳＹは、シンクフレームの同期をとるために設けられており、１４Ｔの長さの同一波形シンボルを有する。ここで、Ｔは、図３の３段目に示されるような８−１６変調前のデータ系列におけるビット間隔に相当する。シンクフレームは、１４８８Ｔの長さを有する。
【００２９】一方、ＬＰＰ４は、図５に上向き矢印に対応する位置に形成される。すなわち、図５においてはグルーブトラック２のウォブリングによって呈される波の山及び谷の一方に対応する位置であってしかもシンクフレームにおける先頭から数えて３つの当該位置に隣接するランドトラック２において形成されうるようにしている。但し、１つのレコーディングセクタ（図３参照）においては偶数番目のシンクフレーム（ＥＶＥＮフレーム）にのみ又は奇数番目のシンクフレーム（ＯＤＤフレーム）にのみＬＰＰ４が形成されるようにしている。図５においてはＥＶＥＮフレームのみＬＰＰ４が形成された場合を示しており、上向きの点線矢印に対応する位置にはＬＰＰ４が形成されない。シンクフレームの先頭に最も近くに配されるＬＰＰ４は、同期用に設けられるもので、定められた偶数または奇数番目のフレームに対応して必ず配されるようにしている。かかる同期用ＬＰＰ４は、ＤＶＤ−Ｒの記録面上のアドレス情報を担うものであり、レコーディングセクタ単位でそのアドレス情報が識別される。
【００３０】なお、この図５からも分かるように、ＬＰＰ４の形成位置は、グルーブトラック２に書き込まれるシンクフレームデータ中の同期信号ＳＹの記録位置にほぼ対応づけられる。本実施例による情報記録装置は、以上のような形態で既成記録情報が形成されかつシンクフレーム系列データが書き込まれるＤＶＤ−Ｒを扱うことのできるものであり、以下、その詳細について説明する。
【００３１】図６は、かかる情報記録装置の概略的構成を示している。図６において、ＤＶＤ−Ｒ１（以下、単にディスクと呼ぶ）は、スピンドルモータ５０により回転されつつ読取光レベル及び書込光レベルの双方にてレーザ光を出力可能な光ヘッドとしてのピックアップ６０によりそのレーザ光が照射される。ディスクに入射したこのレーザ光は、当該ディスクの反射面（図４参照）に達するとともに記録情報に応じた状態の反射光となってピックアップ６０に導かれる。
【００３２】ピックアップ６０は、受光素子を含む光電変換回路を内蔵しており、ディスクからの反射光を受光しかつその受光レベル及び状態に応じた光電変換をなす。その光電変換出力は、読取信号として再生増幅器６１に供給される。再生増幅器６１は、供給された読取信号を増幅し、増幅された読取信号を帯域通過フィルタ（ＢＰＦ）６２を介してウォブル検出回路６３及びＬＰＰ（プリピット）検出回路６４に供給する。
【００３３】ウォブル検出回路６３は、読取信号から上記ウォブル信号を検出または抽出し、これをクロストーク除去回路６５の一入力に供給する。ＬＰＰ検出回路６４は、読取信号から上記プリピット４を検出しその検出結果に応じたプリピット信号を生成する。プリピット信号は、クロストーク除去回路６５の他入力に供給されるとともに、プリピット（ＬＰＰ）デコーダ６６に供給される。
【００３４】クロストーク除去回路６５は、ウォブル信号に含まれるクロストークに起因したジッタ成分をプリピット信号に基づいて除去する機能を有し、除去後のウォブル信号を、ウォブル同期クロック生成用ＰＬＬ回路７０に供給する。得られるウォブル信号は、時間軸上、スピンドルサーボ等の時間軸サーボでは取りきれない残留エラーに基づくプリピット信号の検出精度に依存した精度を持つこととなる。別言すれば、得られるウォブル信号は、残留エラーによるプリピット信号の誤差（±５Ｔ程度）を含むということである。
【００３５】ＰＬＬ回路７０は、クロストーク除去されたウォブル信号を一入力としてこれを他入力信号と位相比較し両者の位相差に応じた誤差信号を出力する位相比較器７１と、誤差信号の低周波成分を通過せしめる低域通過フィルタ（ＬＰＦ）７２と、このフィルタ出力に応じて発振周波数を変化させるＶＣＯ７３と、ＶＣＯ７３の発振出力クロック信号を分周してウォブル信号と同等の周波数の信号を生成し位相比較器７１の他入力に供給する分周器７４とによって構成される。ＶＣＯ７３の出力クロック信号は、書込用クロックの基となるものであり、ＰＬＬ回路７０の出力すなわちウォブル信号に位相同期した原書込用クロック信号ＷＣＫ０として位相合わせ回路８０に供給される。ＰＬＬ回路７０は、書込用クロック生成手段に対応する。
【００３６】再生増幅器６１からの増幅された読取信号はまた、主データデコーダ６７，ビットクロック再生回路６８及びシンク検出回路６９に供給される。主データデコーダ６７は、読取信号に対して、８−１６復調やデインターリーブのデータ処理を含みかつＥＣＣブロックから誤り訂正処理を行いつつデータ２４を復元する処理を施し（図１ないし図３参照）、復元されたデータは、ＣＰＵ９に転送される。ＣＰＵ９は、この転送された復元データを、実際の音響出力や映像出力またはデータ出力をなすための図示せぬ再生データ処理系に送る。これに対しＬＰＰデコーダ６６は、検出されたプリピット信号から、ディスクの記録面における記録位置を示すアドレス情報やシンクフレーム同期情報を検知し、これらをＣＰＵ９に送る。ＣＰＵ９は、このプリピット信号に基づくアドレス及びシンクフレーム同期情報を使って、種々の処理を行う。
【００３７】クロック再生回路６８は、読取信号が担うデータのビット同期用クロック（周期Ｔを有する）を再生するものであり、その出力は、再生クロックＲＣＫとしてＣＰＵ９及び位相合わせ回路８０に供給される。シンク検出回路６９は、読取信号に含まれる特定同期信号としての同期信号ＳＹ（図５参照）を検出する。シンク検出回路６９は、同期信号ＳＹの検出に応答した例えばパルス状のシンク検出信号ＳＹ′を発生する。かかるシンク検出信号は、ＣＰＵ９及び位相合わせ回路８０に供給される。
【００３８】位相合わせ回路８０は、ＰＬＬ回路７０からのウォブル信号に位相同期した原書込用クロック信号ＷＣＫ０　の位相をシフト可能な移相器８１と、移相器８１の出力信号を一入力とし上記クロック再生回路６８からの再生クロック信号ＲＣＫを他入力として両者の位相差に応じた誤差信号を出力する位相比較器８２と、誤差信号の低域成分を通過せしめる低域通過フィルタ（ＬＰＦ）８３と、サンプルホールドタイミング信号に応答してＬＰＦ８３の出力信号の値をサンプルしホールドするサンプルホールド（Ｓ／Ｈ）回路８４と、サンプルホールド回路８４の出力信号の値とオフセット値とを加算する加算器８５と、加算器８５に所定のオフセット値を供給するオフセット値発生回路８６と、加算器８５の加算出力を一方の入力とし移相器８１の定常時における移相量に対応する基準信号Ｖ０　を他方の入力としこれら２つの入力のうちのいずれか一方をＣＰＵ９からのループ制御信号に応じて選択的に移相器８１へ出力するループスイッチ８７と、クロック再生回路６８の出力再生クロック信号，シンク検出回路６９の出力シンク検出信号及びＣＰＵ９からの制御信号に基づいてＳ／Ｈ回路８４へのサンプルホールド（Ｓ／Ｈ）タイミング信号を発生するＳ／Ｈタイミング生成回路８８とによって構成される。位相合わせ回路８０は、位相調整手段を担う。
【００３９】この位相合わせ回路８０においては、加算器８５の出力を選択するようループスイッチ８７に対してＣＰＵ９がループ制御信号を発生した場合（ループ閉成時）、基本的に、移相後の書込用クロック信号ＷＣＫと再生クロック信号ＲＣＫとの位相誤差が位相比較器８２によって得られ、この位相誤差のサンプル値がサンプルホールド回路８４によって得られる。そして加算器８５は、そのサンプル値とオフセット値との加算値に応じたフィードバック信号をスイッチ８７を介して移相器８１に供給する。ここで移相器８１に供給されるフィードバック信号は、位相誤差に応じた移相量、より詳しくは当該位相誤差の値とオフセット値の加算値をゼロに収束させるような移相量（どの程度移相させるべきかを示す値）を移相器８１に設定することとなる。
【００４０】したがって、これら移相器８１、位相比較器８２、ＬＰＦ８３、Ｓ／Ｈサンプルホールド回路８４、加算器８５及びオフセット値発生回路８６、ループスイッチ８７によって形成されるループのフィードバック制御によって、書込用クロック信号ＷＣＫは、当該ループ閉成時点から次第に、クロック再生回路６８からの再生クロック信号ＲＣＫの位相にオフセット分を加味した位相へと合致せしめられていくこととなる。このように位相合わせされた書込用クロック信号ＷＣＫは、移相器８１から導出され、情報記録系の１つを担うエンコーダ９１における符号変換用のビットクロックとして供給される。ここで採用されるオフセットは、書込ビームをディスクに照射してから実際に記録マークが形成されるまでの時間に対応した値とすることが好ましい。このようにすることによって、ディスクの記録特性に適合したデータの書込ができる。
【００４１】また、基準信号Ｖ０　を選択するようループスイッチ８７に対してＣＰＵ９がループ制御信号を発生した場合（ループ開放時）は、当該基準信号Ｖ０　に対応する移相量が移相器８１に設定され、移相器８１は、この設定された移相量にて原書込用クロック信号ＷＣＫ０　の位相をシフトさせて書込用クロック信号ＷＣＫを生成する。従ってループ開放時には、再生クロックに依存せず基準信号Ｖ０　によって定まる位相調整の施された書込用クロックＷＣＫが発生することとなる。
【００４２】Ｓ／Ｈタイミング生成回路８８の詳細については後述する。エンコーダ９１は、ＣＰＵ９から転送された、ディスクへ書き込むべきデータの終段符号化を行う。ここでは先の図３に参照されるような８−１６変調をなすための符号変換がなされる。ＣＰＵ９は、書き込むべきデータの原信号を図示せぬ書込データ供給系から受信し、当該原信号に対し８−１６変調処理以外のデータ処理すなわち、上述したＥＣＣ内符号３１やＥＣＣ外符号３２を付加してＥＣＣブロック３０を構成するとともに当該ＥＣＣブロック３０に対してインターリーブを施す処理を行ってエンコーダ９１に転送すべきデータを生成する。かかるデータの転送には、内蔵メモリ９ｍが使用される。転送データは、一旦このメモリ９ｍに記憶され、ＣＰＵ９が判断した所定のタイミングで順次読み出される。エンコーダ９１により最終的に符号化されたデータは、パワー制御回路９２に送られる。
【００４３】パワー制御回路９２は、書込モードにおいて、エンコーダ９１から送られた符号化データに応じたレーザーパワーを指定するための制御信号を発生し、レーザー駆動回路９３は、この制御信号に応じた実際のピックアップ光源レーザに即したレベルの駆動信号を発する。これにより、ピックアップ６０がディスクに照射する記録（書込）用レーザ光の強度は、符号化データに対応して変化せしめられることとなる。これに対し読取モードにおいては、パワー制御回路９２は、エンコーダ９１から送られた符号化データには応じず、読取用の低レベルかつ略一定なレーザーパワーを指定するための制御信号を発生し、レーザー駆動回路９３は、この制御信号に応じた実際のピックアップ光源レーザに即したレベルの駆動信号を発する。これにより、ディスクは、ピックアップ６０の照射する一定な低レベルの読取用レーザ光によって読み取られることとなる。
【００４４】ウォブル検出回路６３の出力ウォブル信号はまた、既述したように、ディスクの回転制御にも使用される。具体的には、図示せぬ局部発振器より供給された基準クロック信号を一方の入力とする位相比較器５１の他方の入力に、ウォブル信号が供給される。位相比較器５１は、２つの入力の周波数誤差及び位相誤差を得、これに応じたスピンドル制御信号をドライバー回路５２に供給し、ドライバー回路５２は、スピンドル制御信号に応じたモータ５０の駆動信号を発生する。これにより、読取信号から検出されるウォブル信号の周波数が基準クロック信号の周波数に一致するようにモータ５０の回転制御がなされることとなる。
【００４５】次に、この情報記録装置の動作について説明する。図７は、図６に示される情報記録装置の、ディスクに既に書き込まれている一連の書込済データ（以下、旧データと言う）に対しこれに改めてデータ（以下、新データと言う）を後続させ追加して書き込む追加記録モードにおける各部動作波形及び動作形態を示すタイムチャートである。
【００４６】本実施例においては、図７の（Ａ）段に示されるように、旧データの書き込み終了時に、当該旧データの最終ＥＣＣブロック３０Ｅの次に配されるべきＥＣＣブロック３０Ｔの先頭レコーディングセクタ４０Ｔにおける第１シンクフレーム４２Ｆの全データ部及び第２シンクフレーム４２Ｓのデータ部の８６バイト分に対応するダミーデータ（以下、旧ダミーデータと言う）４４を、シンク情報ＳＹ及び対応するＩＤ情報２１とともに当該旧データに続けて記録する。
【００４７】このような形態でなされた旧データ書込済のディスクに対して、図示せぬ指令手段から追加記録開始指令が発せられると、ＣＰＵ９は、図８及び図９に示されるような追加記録処理を実行する。すなわち、ＣＰＵ９は、追加記録開始指令に応答して先ず、読取モードを開始させる（ステップＳ１）。この処理においては、ＣＰＵ９は、エンコーダ９１からの入力データに応ずることなくピックアップ６０のディスク１への照射光の強度が当該記録面の書込作用を生じさせない程度の比較的低い一定の読取光レベルとなるようにパワー制御回路９２を制御する。
【００４８】次いでＣＰＵ９は、旧データのうち、最後の旧データが記録されているレコーディングセクタ４０Ｅの先頭側ＩＤ情報２１を検索するため、当該ＩＤ情報２１に対応する番地であるＮ番地をサーチする（ステップＳ２）。この処理は、デコーダ６７の出力信号に基づいて実行される。なお、ここでは、旧データのうち、最後のＥＣＣブロック３０Ｅにおける最後のレコーディングセクタ４０Ｅのデータの先頭側に配されたＩＤ情報２１が示す番地がＮ番地であるとし、それに引き続いて旧ダミーデータ４４が記録されているレコーディングセクタ４０Ｔの先頭側に配されたＩＤ情報２１が示す番地が（Ｎ＋１）番地であるとしている。
【００４９】Ｎ番地に対応するＩＤ情報２１が検出されると（図７の時刻ｔ１　参照）、当該Ｎ番地に対応するＩＤ情報２１に引き続いてレコーディングセクタ４０Ｅに記録されているデータ及びその後続レコーディングセクタ４０Ｔのデータの読み取りを開始する（ステップＳ３）。そして、ＣＰＵ９は、（Ｎ＋１）番地に対応するＩＤ情報２１が検出されたか否かを、読取データの復調出力すなわちデコーダ６７の出力信号に基づいて判定する（ステップＳ４）。ステップＳ４において（Ｎ＋１）番地に対応するＩＤ情報２１が検出されない場合は、それが検出されるまでデータの読み取りを継続する。
【００５０】ステップＳ４において（Ｎ＋１）番地に対応するＩＤ情報２１が検出された場合（図７の時刻ｔ２　参照）、ＣＰＵ９は、今度は検索目標を当該（Ｎ＋１）番地のＩＤ情報２１に対応するレコーディングセクタ４０Ｔにおける第２シンクフレーム４２Ｓとして、さらに進行して得られる読取データに基づいて検索を行う（ステップＳ５）。より詳しくは、ＣＰＵ９は、（Ｎ＋１）番地のＩＤ情報２１検出後における当該第２シンクフレーム４２Ｓ先頭の同期信号ＳＹの検出信号ＳＹ′をシンク検出回路６９より受信し、その受信タイミングをもって当該第２シンクフレーム４２Ｓの到来を検知するのである。
【００５１】こうして第２シンクフレーム４２Ｓが検知されると（図７の時刻ｔ３　参照）、ＣＰＵ９は、Ｓ／Ｈ回路８４にＳ／Ｈタイミング信号が供給されることを許可するための許可指令信号をＳ／Ｈタイミング生成回路８８に発する（ステップＳ６）。ＣＰＵ９はまた、当該第２シンクフレーム４２Ｓの検知に応答してクロック再生回路６８からの再生クロックのカウントを開始する（ステップＳ７）。
【００５２】Ｓ／Ｈタイミング生成回路８８は、例えば図１０の如く構成される。図１０において、Ｓ／Ｈタイミング生成回路８８は、上記許可指令信号及びシンク検出回路６９からのシンク検出信号ＳＹ′を入力とするＡＮＤ回路８Ｇと、ＡＮＤ回路８Ｇの出力信号をセット入力とするＳＲフリップフロップ８Ｆ１と、ＳＲフリップフロップ８Ｆ１のＱ出力信号を反転リセット入力及びイネーブル入力とするとともにクロック再生回路６８からの再生クロックをトリガー入力とするカウンタ８Ｃと、カウンタ８Ｃのカウント値と所定の第１カウント値との一致判定を行う第１の比較器８ＣＭ１と、カウンタ８Ｃのカウント値と所定の第２カウント値との一致判定を行いその一致判定出力を上記フリップフロップ８Ｆ１のリセット入力へ供給する第２の比較器８ＣＭ２と、この第１の比較器８ＣＭ１の一致判定出力をセット入力とし第２の比較器８ＣＭ２の一致判定出力をリセット入力とするＳＲフリップフロップ８Ｆ２とによって構成される。ＳＲフリップフロップ８Ｆ２のＱ出力からは、Ｓ／Ｈ回路８４へのＳ／Ｈタイミング信号が発生される。
【００５３】この構成において、ＡＮＤ回路８Ｇは、許可指令信号及びシンク検出信号ＳＹ′の双方が有意となったときに高レベル信号を発生し、これに応答してフリップフロップ８Ｆ１がセット状態とされる。これによりカウンタ８Ｃは、リセットが解除されかつ再生クロックのカウント可能状態とされる。従ってカウンタ８Ｃは、許可指令信号及びシンク検出信号ＳＹ′の双方が有意となったのに応答してカウント動作を開始することとなる。比較器８ＣＭ１は、カウンタ８Ｃのカウント出力が第１カウント値Ｎ１に達したことを検知し、フリップフロップ８Ｆ２をセット状態にする。その後カウンタ８Ｃのカウントがさらに進むと、比較器８ＣＭ２は当該カウント出力が第２カウント値Ｎ２に達したことを検知し、フリップフロップ８Ｆ２をリセット状態にする。これにより、フリップフロップ８Ｆ２は、Ｓ／Ｈタイミング信号を、第１カウント値Ｎ１において立ち上げ第２カウント値Ｎ２において立ち下げることとなる。
【００５４】よってＳＲフリップフロップ８Ｆ２のＱ出力からは、図７の（Ｆ）段に示されるような波形のＳ／Ｈタイミング信号が発生される。なお、図７に示されるように、上記第１カウント値Ｎ１は、第２シンクフレーム４２Ｓにおける旧ダミーデータの例えば４０バイト分に相当する値とされ、上記第２カウント値Ｎ２は、第２シンクフレーム４２Ｓにおける旧ダミーデータの８６バイト分に相当する値とされ、両カウント値の差は１シンクフレームの概ね半分程度に相当する４６バイト分に設定される。換言すれば、カウンタ８Ｃが第１カウント値Ｎ１に達するタイミングは、第２シンクフレーム４２Ｓにおける旧ダミーデータの４０バイト分の読取が完了した時点に対応し、カウンタ８Ｃが第２カウント値Ｎ２に達するタイミングは、第２シンクフレーム４２Ｓにおける旧ダミーデータの８６バイト分の読取が完了した時点に対応し、Ｓ／Ｈタイミング信号の高レベル持続期間が４６バイト分に相当する。但し、第１及び第２カウント値Ｎ１，Ｎ２及びそれらの差は、上述した値に限らずそれぞれ適当な別の値に変更しても良い。変更自在な態様としては、図１０に示されるように、これら所定のカウント値を適宜変更可能にして格納できるメモリ８Ｖ１及び８Ｖ２を使用することができる。
【００５５】一方、ＣＰＵ９も、計数手段として第２シンクフレーム４２Ｓの検知に応答してクロック再生回路６８からの再生クロックのカウントを開始しており、当該カウント開始からのカウント値が上記第１カウント値Ｎ１に達したか否かが判別される（ステップＳ８）。第１カウント値Ｎ１に達していれば、ＣＰＵ９は、図７の（Ｅ）段に示されるように、ループ制御信号を立ち上げ、スイッチ８７をして位相合わせ回路８０のサーボループを閉成せしめる（ステップＳ９）。このループ閉成タイミングは、Ｓ／Ｈタイミング信号の立ち上がりエッジのタイミングに相当することとなる。
【００５６】その後、ＣＰＵ９は、さらにそのカウント動作を継続して当該カウント値が上記第２カウント値Ｎ２に達したか否かを判別する（ステップＳ１０）。ここで第２カウント値Ｎ２をカウントしたことが判別されると（図７の時刻ｔ４　参照）、ＣＰＵ９は、制御手段として、書込モードを開始させる（ステップＳ１１）。この処理においては、ＣＰＵ９は、エンコーダ９１からの入力データに応じて、ディスク記録面に書込作用を生じ得る書込光レベルとそうでない読取光レベルとの間でピックアップ６０のディスク１への照射光の強度を変化させるような記録モードにパワー制御回路９２を制御する。
【００５７】これにより、エンコーダ９１の出力データのうち、図７の（Ｈ）段に実線で示されるような当該第２シンクフレーム４２Ｓの８７バイト目以降のデータがパワー制御回路９２に取り込まれディスク１に記録されることとなる。図７（Ｈ）段に点線で示されるエンコーダ９１の出力データは、パワー制御回路９２に転送されるものの読取モードが設定されているが故に、パワー制御回路９２の出力に反映されていないことを示している。なお、データを書き込まないときでもピックアップ６０の照射光を再生パワーに設定し続けるのは、ディスク上の情報記録トラック（グルーブトラック）をトラッキングするためトラッキングサーボ制御用の反射光が必要であるからである。
【００５８】かくして新データの書き込みが開始された後は、ＣＰＵ９は、エンコーダ９１に転送すべき本来の新データが終了したか否かを判定する（ステップＳ１２）。終了していない場合にはそのまま新データの記録を継続し、終了した場合には、記録終了時の最終処理として、当該データの最終ＥＣＣブロック３０の次に配されるべきＥＣＣブロック３０の先頭レコーディングセクタ４０における第１シンクフレームの全データ部及び第２シンクフレームのデータ部の８６バイト分に対応するダミーデータ４４を、シンク情報ＳＹ及び対応するＩＤ情報２１とともに当該データに続けて記憶する（ステップＳ１３）。この態様は、先述した旧データの記録終了時における処理と同様である。
【００５９】ステップＳ１３により記録終了時の付加的記録を含め全ての新データに関わる書込が終了すると、ＣＰＵ９は、エンコーダ９１からの入力データに応ずることなくピックアップ６０のディスク１への照射光の強度が一定の読取光レベルとなるようにパワー制御回路９２を制御して読取モードに切り換える（ステップＳ１４）。こうして、新データの追加記録処理が終了する。
【００６０】上述したように、新データの書込直前においては、ループ制御信号が立ち上げられかつＳ／Ｈタイミング信号が発生される。Ｓ／Ｈ回路８４は、Ｓ／Ｈタイミング信号が高レベルにある間、サンプリングすなわちＬＰＦ８３からの誤差信号を取り込んで加算器８５に伝送するよう動作する。このときＣＰＵ９は、ループ制御信号を立ち上げて加算器８５の出力を移相器８１に中継するようスイッチ８７を制御しており、Ｓ／Ｈタイミング信号の高レベル期間に亘って当該誤差信号に応じた移相量が移相器８１に指定される。
【００６１】したがってＳ／Ｈタイミング信号が高レベルにある間、位相合わせ回路８０のフィードバック制御が実行され、図７の（Ｇ）段に示されるように当該フィードバックループにおけるＬＰＦ８３の出力エラーレベルが小さくなる方向に変化し、当該ループは、いわゆる位相引込をなすこととなる。かかる位相引込が進むと、当該ループはロックレンジに移行して、オフセット値にて定まる目標値近傍に誤差信号が収められる位相ロック状態を保つこととなる。かくして書込用クロックＷＣＫは、この新データの書込直前におけるＳ／Ｈタイミング信号の高レベル期間において再生クロックＲＣＫの位相にオフセットを加味した目標位相に合わされる。
【００６２】Ｓ／Ｈ回路８４は、Ｓ／Ｈタイミング信号の立ち下がりに応答してその直前にサンプルした誤差信号の値を保持し以降これを加算器８５へ出力することとなる。従って移相器８１には、かかる保持値とオフセット値との加算値に対応する移相量が、Ｓ／Ｈタイミング信号の高レベル期間経過後も継続して指定されることとなり、書込用クロックＷＣＫは、Ｓ／Ｈタイミング信号の高レベル期間経過後においてその継続される移相量にて位相調整されることとなる。
【００６３】なお、図７の（Ｃ）段及び（Ｄ）段においては、書込用クロックＷＣＫと再生クロックＲＣＫの位相態様を概略的かつ模式的に示しており、書込用クロックＷＣＫに付された斜線部は、位相合わせされることなく基準値Ｖ０　に対応する移相量にてその位相が定まることを、書込用クロックＷＣＫに付されたクロスハッチ部は、再生クロックＲＣＫの位相に合わせ込まれていることを、書込用クロックＷＣＫに付された縦線部は、再生クロックＲＣＫの位相にほぼ合致した状態が維持されていることを、それぞれ示している。
【００６４】こうした位相合わせ回路８０の動作によれば、新データの書込よりも所定期間だけ前の読取から書込用クロックＷＣＫの位相が書込済データによる再生クロックＲＣＫの位相に整合するように調整されるので、書込済データのビットクロックの位相の連続性を保ったままのビットクロックにて新データをディスクに書き込むことができる。よってこのように書き込まれたディスクにおいては、ビットクロックの再生やシンク検出において支障を来すことなく当該書込済データと新データとを円滑に連続再生することができる。
【００６５】次に、本発明による他の実施例について説明する。図１１は、本発明の第２実施例による情報記録装置の概略構成を示しており、図６に示されるものと同等の部分には同一の符号が付されている。図１１における情報記録装置は、基本的に、図６の構成から移相器８１，オフセット発生回路８６及びＳ／Ｈ回路８４を除いて構成されている。それ故、ＰＬＬ回路７０´は、ＬＰＦ７２とＶＣＯ７３との間に加算器７Ａが接続され、ＬＰＦ７２の出力信号を一方の入力とし加算出力信号をＶＣＯ７３に供給する構成の改変が施されている。
【００６６】さらに、改変された位相合わせ回路８０´においては、ＶＣＯ７３の出力信号が直接、位相比較器８２の入力に供給されるとともに、書込用クロック信号ＷＣＫとして導出されている。位相合わせ回路８０´においてはまた、ＬＰＦ８３の出力信号が増幅器８５´を介してループスイッチ８７の一入力とされ、ループスイッチ８７の出力信号は、ＬＰＦ８ｆを介してＰＬＬ回路７０´における加算器７Ａの他入力へ供給される。そして、ループスイッチ８７に供給されるループ制御信号は、先述したＳ／Ｈタイミング生成回路８８と同等の構成及び信号発生原理を有するタイミング生成回路８８´によって発生される。
【００６７】位相合わせ回路８０´において、位相比較器８２は、ＰＬＬ回路７０´におけるＶＣＯ７３の出力信号（書込用クロックＷＣＫ）とクロック再生回路６８からの再生クロック信号ＲＣＫとを位相比較し、両者の位相誤差に応じた信号をＬＰＦ８３及び増幅器８５´を介してループスイッチ８７に供給する。ループスイッチ８７は、増幅器８５´の出力増幅誤差信号及び基準信号Ｖ０　のいずれかを選択的にＬＰＦ８ｆへ出力する。ＬＰＦ８ｆを経た信号はＰＬＬ回路７０´におけるＶＣＯ７３の入力制御信号に加えられる。
【００６８】このような構成において、増幅器８５´の出力を選択するようループスイッチ８７に対してＣＰＵ９がループ制御信号を発生した場合（ループ閉成時）、書込用クロック信号ＷＣＫと再生クロック信号ＲＣＫとの位相誤差が位相比較器８２によって得られ、この位相誤差に応じたフィードバック信号がスイッチ８７，ＬＰＦ８ｆ及び加算器７Ａを介してＶＣＯ７３に供給される。ここでＶＣＯ７３に供給されるフィードバック信号は、位相誤差に応じた移相量、より詳しくは当該位相誤差をゼロに収束させるような移相量（瞬時周波数）をＶＣＯ７３に設定することとなる。
【００６９】したがって、これら位相比較器８２、ＬＰＦ８３、増幅器８５´，ループスイッチ８７，ＬＰＦ８ｆ及び加算器７Ａによって形成されるループのフィードバック制御によって、書込用クロック信号ＷＣＫは、当該ループ閉成時点から次第に、クロック再生回路６８からの再生クロック信号ＲＣＫの位相へと合致せしめられていくこととなる。
【００７０】また、基準信号Ｖ０　を選択するようループスイッチ８７に対してＣＰＵ９がループ制御信号を発生した場合（ループ開放時）は、当該基準信号Ｖ０　に対応する移相量（瞬時周波数）がＶＣＯ７３に設定され、ＶＣＯ７３は、この設定された移相量にて書込用クロック信号ＷＣＫの位相をシフトさせる（つまり瞬時周波数を変化させる）。従ってループ開放時には、再生クロックに依存しない基準信号Ｖ０　によって定まる位相調整の施された書込用クロックＷＣＫが発生することとなる。
【００７１】但し、注記すべきは、ＬＰＦ８ｆの作用である。このＬＰＦ８ｆは、ループスイッチ８７が増幅器８５´の出力信号から基準信号Ｖ０　に選択を切り換えたときに、フィードバック信号を増幅器８５´の出力信号の値から基準信号Ｖ０　の値へと緩やかに変移させてＶＣＯ７３に供給する作用を奏する。これにより、当該ループの位相ロック状態後におけるループ開放後において、そのロックされた位相から基準信号Ｖ０　に対応する位相へと書込用クロック信号ＷＣＫの位相を徐々に変化させていき、暫くした後に初めて基準信号Ｖ０　に対応する位相（周波数）に復帰させるようにしているのである。
【００７２】この情報記録装置の動作は、図１２に示される。図１２においては、（Ｆ）段に示されるように、ループ制御信号が上記第１カウント値Ｎ１のタイミングで立ち上がって当該位相合わせループを閉じるとともに、上記第２カウント値Ｎ２のタイミングで立ち下がって当該位相合わせループを開く。
【００７３】したがってループ制御信号が高レベルにある間、位相合わせ回路８０′のフィードバック制御が実行され、図１２の（Ｇ）段に示されるように当該フィードバックループにおけるＬＰＦ８３の出力エラーレベルが小さくなる方向に変化し、当該ループは、いわゆる位相引込をなすこととなる。かかる位相引込が進むと、当該ループはロックレンジに移行して、目標値近傍に誤差信号が収められる位相ロック状態を保つこととなる。かくして書込用クロックＷＣＫは、この新データの書込直前におけるループ制御信号の高レベル期間において再生クロックＲＣＫの位相に合わせられる。
【００７４】ループ制御信号が立ち下がると、位相合わせループは開放され基準信号Ｖ０　がＬＰＦ８ｆを介して加算器７Ａに供給される。ここでＬＰＦ８ｆは、所定の時定数を有するものであり、基準信号Ｖ０　が供給されても直ちにこれをそのまま加算器７Ａに伝送せず、指数関数的にその基準信号Ｖ０　が示す値に近づくような信号を加算器７Ａ伝送することとなる。
【００７５】かくして当該ループの閉成後のＬＰＦ８３の出力は、図１２（Ｇ）段に※１にて示されるような緩慢な変化を呈して基準信号Ｖ０　に対応するレベルへと到達することとなる。これにより、追加記録開始から暫くした後は、書込用クロック信号ＷＣＫは、書込用クロック生成手段たるＰＬＬ回路７０′に固有の周波数及び位相（すなわち基準信号Ｖ０　にて定まる中心周波数）に復帰せしめられるので、新データの旧データに対するつなぎ目近傍の箇所でのみ再生クロックＲＣＫと同期されることとなる。
【００７６】なお、図１２の（Ｃ）段及び（Ｄ）段においても、書込用クロックＷＣＫと再生クロックＲＣＫの位相態様を概略的かつ模式的に示しており、書込用クロックＷＣＫに付された斜線部は、位相合わせされることなく基準値Ｖ０　に対応する移相量にてその位相が定まることを、書込用クロックＷＣＫに付されたクロスハッチ部は、再生クロックＲＣＫの位相に合わせ込まれていることを、それぞれ示している。但し、書込用クロックＷＣＫにおける時刻ｔ４　以降の暫くの間は、かかるクロスハッチがだんだんと薄れて元の斜線に似通っていくが如く描かれており、再生クロックＲＣＫの位相から書込用クロックＷＣＫの位相へと移りゆく態様が示されている。
【００７７】こうした位相合わせ回路８０′の動作によっても、新データの書込よりも所定期間だけ前の読取から書込用クロックＷＣＫの位相が書込済データによる再生クロックＲＣＫの位相に整合するように調整されるので、書込済データのビットクロックの位相の連続性を保ったままのビットクロックにて新データをディスクに書き込むことができ、情報再生時において読取データの同期動作を乱すことなく当該書込済データと新データとを円滑に連続再生することができる。しかも、この第２実施例においては、比較的に簡単な構成とすることができるので、コスト面等で有利である。
【００７８】なお、以上の動作をなすためのＣＰＵ９の処理は、図１３及び図１４に示される。これによれば、ＣＰＵ９は、ステップＳ５によって第２シンクフレームが検出されると、その後のステップＳ６´においてタイミング生成回路８８´にループ制御信号の発生を許可してステップＳ７へと移行することが分かる。また、ステップＳ７の後は、図８及び図９におけるステップＳ８及びＳ９を省いてステップＳ１０による第２カウント値の判別処理を行うようにしていることが分かる。
【００７９】次に、本発明によるさらに他の実施例を説明する。図１５は、第３実施例による情報記録装置の概略構成を示しており、図６と同等の部分には同一の符号が付されている。図１５においては、図６に示される構成に対して情報記録系が改善されている。すなわち、エンコーダ９１Ａは、その符号化出力として反転出力と非反転出力との２つを備える。この２つの符号化出力は、それぞれスイッチ回路９１Ｓに供給される。スイッチ回路９１Ｓは、一方及び他方の符号化出力のうちいずれか１つを選択的にパワー制御回路９２に供給する。
【００８０】バッファ回路９１Ｂは、再生増幅器６１からの読取信号を取り込んで所定の遅延時間（例えば最小ピット長Ｔｍｉｎ　に等しい例えば３Ｔ相当分）をもって比較回路９１Ｃに供給する。比較回路９１Ｃは、ＣＰＵ９から供給される比較判定トリガー信号に応答してバッファ回路９１Ｂの出力の値とエンコーダ９１Ａの非反転出力の値とを比較し、両者が一致していた場合はエンコーダ９１Ａの反転出力を選択するようスイッチ回路９１Ｓに制御信号を供給する。
【００８１】このような構成によれば、追加記録する際に書込済データの末尾と新データの先頭とが結合されて不具合の生じるデータパターンとなることを回避することができる。このような第３実施例特有の作用効果は、図１６を参照して詳説することができる。
【００８２】図１６において、（Ａ）段に示される書込済データは、（Ｂ）段に示されるように、バッファ回路９１Ｂによって３Ｔ相当分遅延される。エンコーダ９１Ａの非反転出力データは、（Ｃ）段に示されるように、これまでの説明と同様に時刻ｔ４　においてパワー制御回路９２に取り込まれ始める。時刻ｔ４　を過ぎると、書込済データは途切れてしまうが、比較回路９１Ｃには、（Ｄ）段に示されるように時刻ｔ４　にて立ち上がり当該３Ｔ相当のパルス幅を呈する比較判定トリガーがＣＰＵ９より供給され、かつ３Ｔ相当分遅延されたバッファ出力の書込済データが入力されるので、この入力データとエンコーダ９１Ａの非反転出力データとが値比較されることとなる。すなわち、書込済データの末尾３Ｔ分と新データたるエンコーダ９１Ａの非反転出力データの先頭３Ｔ分とが比較される。
【００８３】比較回路９１Ｃは、当該データの値が一致していることを判定すると、スイッチ回路９１Ｓをしてエンコーダ９１Ａの反転出力データをパワー制御回路９２に転送せしめ以降この反転出力による記録形態を継続する。図１６の（Ｅ）段に示される追加記録後のデータは、この場合の態様を表している。逆に、当該データの値が一致していないことを判定すると、そのままスイッチ回路９１Ｓをしてエンコーダ９１Ａの非反転出力データをパワー制御回路９２に転送する状態を持続する。
【００８４】これにより、書込済データの末尾とこれに結合される新データの先頭とが同一の値となることを防ぐことができる。例えば、書込済データの末尾が７Ｔに亘って論理値０が続いていた場合に新データの先頭も７Ｔに亘って同じく論理値０が続いていたとすると、単純に両データを結合した場合は、１４Ｔに亘って論理値０が続くデータパターンとなってしまう。この１４Ｔに亘って論理値０が続くパターンは、本実施例においては同期信号ＳＹにだけ与えられるパターンと一致する。つまり、かかるデータ結合部において偶発的に同期信号ＳＹと同じデータパターンが形成されたことになり、後の情報再生時においてシンク検出回路の誤検出の要因となってしまう。
【００８５】これに対して本実施例においては、このような場合に新データを強制的に反転せしめるので、偶発的な同期信号ＳＹのパターン形成を防ぎ、もって当該同期信号の誤検出を回避することができる。なお、この第３実施例においては書込済データの末尾とこれに結合される新データの先頭とが同じであった場合、新データの論理値を反転させるようにしているが、かかる反転処理と同様に実質的にデータの内容を変えないような値の変更をなすようにしても良い。
【００８６】なお、これまでの説明においては、追加記録される先頭レコーディングセクタ４０Ｔの各シンクフレームには新データが格納される如く説明したが、特開平９−２７０１７１号公報に記載されているように、新データに代えてダミーデータを格納するようにしても良い。また、上記実施例においては、記録媒体としてＤＶＤ−Ｒについて主に説明したが、他の追加記録可能な記録媒体に対して本発明は適用可能である。
【００８７】さらに、特定同期信号としてシンクフレーム同期信号ＳＹを例に挙げたが、シンクフレームとは異なる情報量の所定データブロック毎に配される他の同期信号を特定同期信号として本発明を実現することも可能である。また、旧データの記録末端部に図７に示されるような旧ダミーデータを後続させて記録したディスクに対して追加記録をなす態様につき説明したが、かかる旧ダミーデータの如き後続部を設けなくとも本発明は実現可能である。すなわち、旧データの格納されるシンクフレームにおいて位相合わせを行って新データの書込用クロックの同期合わせを行うようにしても相当な効果が発揮される。
【００８８】この他にも、上記実施例においては種々の手段を限定的に説明したが、当業者の設計可能な範囲にて適宜改変することも可能である。
【００８９】
【発明の効果】以上詳述したように、本発明の情報記録装置および情報記録方法によれば、情報再生時において読取データの同期動作を乱すことなく書込済データとこれに後続して追記されたデータとを円滑に連続再生することを可能とする記録媒体への記録形態を採ることができる。
【図面の簡単な説明】
【図１】ＤＶＤ−Ｒの原記録情報を担うデータセクタの構造を示す図である。
【図２】図１のデータセクタを用いて構築されるＥＣＣブロックの構造を示す図である。
【図３】ＤＶＤ−Ｒに記録されるデータの物理フォーマットを示す図である。
【図４】ＤＶＤ−Ｒの記録層の構造を示す斜視図である。
【図５】ＤＶＤ−Ｒにおけるグルーブトラックとこれに書き込まれるシンクフレーム系列のデータ並びにランドトラックに形成されるプリピットの対応関係を示す模式図である。
【図６】本発明の第１実施例による情報記録装置の概略的構成を示すブロック図である。
【図７】図６の情報記録装置の各部動作波形及び動作形態を示すタイムチャートである。
【図８】図６の情報記録装置におけるＣＰＵによって実行される追加記録処理の手順を示す前半フローチャートである。
【図９】図６の情報記録装置におけるＣＰＵによって実行される追加記録処理の手順を示す後半フローチャートである。
【図１０】図６の情報記録装置におけるＳ／Ｈタイミング生成回路の具体的構成例を示すブロック図である。
【図１１】本発明の第２実施例による情報記録装置の概略的構成を示すブロック図である。
【図１２】図１１の情報記録装置の各部動作波形及び動作形態を示すタイムチャートである。
【図１３】図１１の情報記録装置におけるＣＰＵによって実行される追加記録処理の手順を示す前半フローチャートである。
【図１４】図１１の情報記録装置におけるＣＰＵによって実行される追加記録処理の手順を示す後半フローチャートである。
【図１５】本発明の第３実施例による情報記録装置の概略的構成を示すブロック図である。
【図１６】図１５の情報記録装置による特徴的動作形態を示すタイムチャートである。
【符号の説明】
１　　ＤＶＤ−Ｒ
５０　　スピンドルモータ
５１　　位相比較器
５２　　モータドライバ
６０　　ピックアップ
６１　　再生増幅器
６２　　帯域通過フィルタ
６３　　ウォブル検出回路
６４　　プリピット検出回路
６５　　クロストーク除去回路
６６　　プリピットデコーダ
６７　　主データデコーダ
６８　　クロック再生回路
６９　　シンク検出回路
７０，７０´　　ウォブル同期原書込用クロック生成用ＰＬＬ回路
７１　　位相比較器
７２　　低域通過フィルタ
７３　　電圧制御型発振器
７４　　分周器
７Ａ　　加算器
８０，８０´　　位相合わせ回路
８１　　移相器
８２　　位相比較器
８３　　低域通過フィルタ
８４　　サンプルホールド回路
８５　　加算器
８５´　　増幅器
８６　　オフセット発生回路
８７　　ループスイッチ
８８　　サンプルホールドタイミング生成回路
８８´　　タイミング生成回路
８Ｇ　　ＡＮＤ回路
８Ｆ１，８Ｆ２　　ＳＲフリップフロップ
８Ｃ　　カウンタ
８ＣＭ１，８ＣＭ２　　比較器
８Ｖ１，８Ｖ２　　メモリ
９　　ＣＰＵ
９１，９１Ａ　　エンコーダ
９２　　パワー制御回路
９３　　レーザ駆動回路
９１Ｓ　　スイッチ回路
９１Ｂ　　バッファ回路
９１Ｃ　　比較回路
【図１】
2004047087.tif 000003
【図２】
2004047087.tif 000004
【図３】
2004047087.tif 000005
【図４】
2004047087.tif 000006
【図５】
2004047087.tif 000007
【図６】
2004047087.tif 000008
【図７】
2004047087.tif 000009
【図８】
2004047087.tif 000010
【図９】
2004047087.tif 000011
【図１０】
2004047087.tif 000012
【図１１】
2004047087.tif 000013
【図１２】
2004047087.tif 000014
【図１３】
2004047087.tif 000015
【図１４】
2004047087.tif 000016
【図１５】
2004047087.tif 000017
【図１６】
2004047087.tif 000018